【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
ＰＰ３バッテリーを電池式の装置と電気的に結合するコネクターであって、
前記ＰＰ３バッテリーの正のＰＰ３端子に接触するように構成された正のコンタクト及び前記ＰＰ３バッテリーの負のＰＰ３端子に接触するように構成された負のコンタクトを含む第１の２重接点アセンブリーと、
前記ＰＰ３バッテリーの前記正のＰＰ３端子に接触するように構成された正のコンタクト及び前記ＰＰ３バッテリーの前記負のＰＰ３端子に接触するように構成された負のコンタクトを含む第２の２重接点アセンブリーと
を備え、
前記２重接点アセンブリーが前記ＰＰ３バッテリーの前記正のＰＰ３端子と物理的に係合される場合に、前記２重接点アセンブリーの前記正のコンタクトが前記正のＰＰ３端子と電気的に係合する一方、前記負のコンタクトが前記正のＰＰ３端子から電気的に絶縁されるように、前記第１の２重接点アセンブリー及び前記第２の２重接点アセンブリーの各々が構成され、
前記２重接点アセンブリーが前記ＰＰ３バッテリーの前記負のＰＰ３端子と物理的に係合される場合に、前記２重接点アセンブリーの前記負のコンタクトが前記負のＰＰ３端子と電気的に係合する一方、前記正のコンタクトが前記負のＰＰ３端子から電気的に絶縁されるように、前記第１の２重接点アセンブリー及び前記第２の２重接点アセンブリーの各々が構成されるコネクター。
【請求項２】
前記第１の２重接点アセンブリー及び前記第２の２重接点アセンブリーの各々について、前記２重接点アセンブリーが前記ＰＰ３バッテリーの前記負のＰＰ３端子と物理的に係合される場合に、前記ＰＰ３バッテリーの前記負のＰＰ３端子が前記２重接点アセンブリーの前記負のコンタクトの内部で、及び少なくとも部分的に囲まれて受け入れられるように、前記２重接点アセンブリーの前記負のコンタクトが構成される請求項１に記載のコネクター。
【請求項３】
前記第１の２重接点アセンブリー及び前記第２の２重接点アセンブリーの各々について、前記２重接点アセンブリーの前記負のコンタクトは概して円筒状である請求項２に記載のコネクター。
【請求項４】
前記第１の２重接点アセンブリー及び前記第２の２重接点アセンブリーの各々について、前記２重接点アセンブリーの前記負のコンタクトは、前記ＰＰ３バッテリーの前記負のＰＰ３端子の外側部分との弾性的にバイアスされた係合を引き起こすようなサイズにされ、構成される請求項３に記載のコネクター。
【請求項５】
前記第１の２重接点アセンブリー及び前記第２の２重接点アセンブリーの各々について、前記２重接点アセンブリーが前記ＰＰ３バッテリーの前記正のＰＰ３端子と物理的に係合される場合に、前記２重接点アセンブリーの前記正のコンタクトが前記ＰＰ３バッテリーの前記正のＰＰ３端子の内部で、及び少なくとも部分的に囲まれて受け入れられるように、前記２重接点アセンブリーの前記正のコンタクトが構成される請求項１に記載のコネクター。
【請求項６】
前記第１の２重接点アセンブリー及び前記第２の２重接点アセンブリーの各々について、前記２重接点アセンブリーの前記正のコンタクトは概して円筒状である請求項５に記載のコネクター。
【請求項７】
前記第１の２重接点アセンブリー及び前記第２の２重接点アセンブリーの各々について、前記２重接点アセンブリーの前記正のコンタクトは、前記ＰＰ３バッテリーの前記正のＰＰ３端子の内側部分との弾性的にバイアスされた係合を引き起こすようなサイズにされ、構成される請求項６に記載のコネクター。
【請求項８】
前記第１の２重接点アセンブリー及び前記第２の２重接点アセンブリーの各々について、前記２重接点アセンブリーの前記負のコンタクトから前記２重接点アセンブリーの前記正のコンタクトを電気的に絶縁するための絶縁体をさらに備える請求項１に記載のコネクター。
【請求項９】
ＰＰ３バッテリーによって電力を供給されるように構成された装置であって、
前記装置が前記ＰＰ３バッテリーから電力を受け取り、前記装置の１つ又は複数の他のコンポーネントに分配する回路と、
前記回路に前記ＰＰ３バッテリーを電気的に結合するコネクターであって、第１の２重接点アセンブリー及び第２の２重接点アセンブリーを含み、第１の有効状態及び第２の有効状態のいずれかにおいて前記ＰＰ３バッテリーと係合することができ、前記第１の有効状態は前記第１の２重接点アセンブリーが前記ＰＰ３バッテリーの正のＰＰ３端子と物理的に係合されること及び前記第２の２重接点アセンブリーが前記ＰＰ３バッテリーの負のＰＰ３端子と物理的に係合されることによって定義され、前記第２の有効状態は前記第１の２重接点アセンブリーが前記ＰＰ３バッテリーの前記負のＰＰ３端子と物理的に係合されること及び前記第２の２重接点アセンブリーが前記ＰＰ３バッテリーの前記正のＰＰ３端子と物理的に係合されることによって定義され、
前記第１の２重接点アセンブリー及び前記第２の２重接点アセンブリーの各々について、前記２重接点アセンブリーは、前記回路の正の部分と電気的に結合される正のコンタクト及び前記回路の負の部分と電気的に結合される負のコンタクトを含み、前記正のコンタクト及び前記負のコンタクトは、前記２重接点アセンブリーが前記ＰＰ３バッテリーの前記正のＰＰ３端子と物理的に係合される場合に前記正のコンタクトが前記正のＰＰ３端子と電気的に結合される一方で前記負のコンタクトが前記正のＰＰ３端子から電気的に絶縁されるように構成され、前記２重接点アセンブリーの前記正のコンタクト及び前記負のコンタクトは、前記２重接点アセンブリーが前記ＰＰ３バッテリーの前記負のＰＰ３端子と物理的に係合される場合に前記負のコンタクトが前記負のＰＰ３端子と電気的に係合される一方で前記正のコンタクトが前記負のＰＰ３端子から電気的に絶縁されるように構成される装置。
【請求項１０】
前記第１の２重接点アセンブリー及び前記第２の２重接点アセンブリーの各々について、前記２重接点アセンブリーが前記ＰＰ３バッテリーの前記負のＰＰ３端子と物理的に係合される場合に、前記ＰＰ３バッテリーの前記負のＰＰ３端子が前記２重接点アセンブリーの前記負のコンタクトの内部で、及び少なくとも部分的に囲まれて受け入れられるように、前記２重接点アセンブリーの前記負のコンタクトが構成される請求項９に記載の装置。
【請求項１１】
前記第１の２重接点アセンブリー及び前記第２の２重接点アセンブリーの各々について、前記２重接点アセンブリーが前記ＰＰ３バッテリーの前記正のＰＰ３端子と物理的に係合される場合に、前記２重接点アセンブリーの前記正のコンタクトが前記ＰＰ３バッテリーの前記正のＰＰ３端子の内部で、及び少なくとも部分的に囲まれて受け入れられるように、前記２重接点アセンブリーの前記正のコンタクトが構成される請求項９に記載の装置。
【請求項１２】
前記第１の２重接点アセンブリー及び前記第２の２重接点アセンブリーの各々について、前記２重接点アセンブリーの前記負のコンタクトから前記２重接点アセンブリーの前記正のコンタクトを電気的に絶縁するための絶縁体をさらに備える請求項９に記載の装置。
【請求項１３】
バッテリーを電池式の装置と電気的に結合するコネクターであって、
前記バッテリーの正の端子に接触するように構成された正のコンタクト及び前記バッテリーの負の端子に接触するように構成された負のコンタクトを含む第１の２重接点アセンブリーと、
前記バッテリーの前記正の端子に接触するように構成された正のコンタクト及び前記バッテリーの前記負の端子に接触するように構成された負のコンタクトを含む第２の２重接点アセンブリーと
を備え、
前記２重接点アセンブリーが前記バッテリーの端子のいずれかと物理的に係合される場合に、前記２重接点アセンブリーのコンタクトのうちの１つが前記係合されたバッテリー端子の壁部分に対して放射状にバイアスされる一方、前記２重接点アセンブリーの他方のコンタクトが前記係合されたバッテリー端子から間隔を空けて電気的に絶縁されるように、各々の２重接点アセンブリーが構成されるコネクター。
【請求項１４】
前記第１の２重接点アセンブリー及び前記第２の２重接点アセンブリーの各々について、前記２重接点アセンブリーが前記バッテリーの前記負の端子と物理的に係合される場合に、前記バッテリーの前記負の端子が前記２重接点アセンブリーの前記負のコンタクトの内部に、少なくとも部分的に囲まれて受け入れられるように、前記２重接点アセンブリーの前記負のコンタクトが構成される請求項１３に記載のコネクター。
【請求項１５】
前記第１の２重接点アセンブリー及び前記第２の２重接点アセンブリーの各々について、前記２重接点アセンブリーの前記負のコンタクトは概して円筒状である請求項１４に記載のコネクター。
【請求項１６】
前記第１の２重接点アセンブリー及び前記第２の２重接点アセンブリーの各々について、前記２重接点アセンブリーの前記負のコンタクトは、前記バッテリーの前記負の端子の外側部分との弾性的にバイアスされた係合を引き起こすようなサイズにされ、構成される請求項１５に記載のコネクター。
【請求項１７】
前記第１の２重接点アセンブリー及び前記第２の２重接点アセンブリーの各々について、前記２重接点アセンブリーが前記バッテリーの前記正の端子と物理的に係合される場合に、前記２重接点アセンブリーの前記正のコンタクトが前記バッテリーの前記正の端子の内部に、少なくとも部分的に囲まれて受け入れられるように、前記２重接点アセンブリーの前記正のコンタクトが構成される請求項１３に記載のコネクター。
【請求項１８】
前記第１の２重接点アセンブリー及び前記第２の２重接点アセンブリーの各々について、前記２重接点アセンブリーの前記正のコンタクトは概して円筒状である請求項１７に記載のコネクター。
【請求項１９】
前記第１の２重接点アセンブリー及び前記第２の２重接点アセンブリーの各々について、前記２重接点アセンブリーの前記正のコンタクトは、前記バッテリーの前記正の端子の内側部分との弾性的にバイアスされた係合を引き起こすようなサイズにされ、構成される請求項１８に記載のコネクター。
【請求項２０】
前記第１の２重接点アセンブリー及び前記第２の２重接点アセンブリーの各々について、前記２重接点アセンブリーの前記負のコンタクトから前記２重接点アセンブリーの前記正のコンタクトを電気的に絶縁するための絶縁体をさらに備える請求項１３に記載のコネクター。